(57)【要約】【課題】  コピーの都度の煩雑な設定を省略できると共に、コピーの設定を適宜変更できる画像読取記録装置を提供する。【解決手段】  コピージョブ名とコピージョブパターンとを対応付けて記憶するコピージョブデータベースと、このコピージョブデータベースにより記憶されたコピージョブ名４１を一覧表示する表示手段と、この表示手段により一覧表示されたコピージョブ名４１の中からコピージョブ名４１を選択する選択手段と、コピージョブデータベースを検索し、選択手段により選択されたコピージョブ名４１に対応するコピージョブパターンを抽出する抽出手段と、この抽出手段により抽出されたコピージョブパターンでコピージョブを実行する実行手段と、を備えた。【選択図】      図３
2007049453.tif 000002
【特許請求の範囲】
【請求項１】
コピージョブ名とコピージョブパターンとを対応付けて記憶するコピージョブデータベースと、
このコピージョブデータベースにより記憶されたコピージョブ名を一覧表示する表示手段と、
この表示手段により一覧表示されたコピージョブ名の中からコピージョブ名を選択する選択手段と、
前記コピージョブデータベースを検索し、前記選択手段により選択されたコピージョブ名に対応するコピージョブパターンを抽出する抽出手段と、
この抽出手段により抽出されたコピージョブパターンでコピージョブを実行する実行手段と、
を備えたことを特徴とする画像読取記録装置。
【請求項２】
コピージョブパターンのテンプレート及びコピージョブ名のテンプレートを記憶する記憶手段と、
コピージョブパターンのテンプレート又はコピージョブ名のテンプレートの呼出命令を外部装置から受信する呼出命令受信手段と、
この呼出命令受信手段によりコピージョブパターンのテンプレートの呼出命令が受信された場合に、前記記憶手段により記憶されたコピージョブパターンのテンプレートを外部装置へ送信するパターンテンプレート送信手段と、
このパターンテンプレート送信手段により送信されたテンプレートと同一の又はそれを修正した後のコピージョブパターンを外部装置から受信するパターン受信手段と、
前記呼出命令受信手段によりコピージョブ名のテンプレートの呼出命令が受信された場合に、前記記憶手段により記憶されたコピージョブ名のテンプレートを外部装置へ送信する名称テンプレート送信手段と、
この名称テンプレート送信手段により送信されたテンプレートと同一の又はそれを修正した後のコピージョブ名を外部装置から受信する名称受信手段と、
この名称受信手段により受信されたコピージョブ名と前記パターン受信手段により受信されたコピージョブパターンとを対応付けて前記コピージョブデータベースに格納する格納手段と、
を備えたことを特徴とする請求項１記載の画像読取記録装置。
【発明の詳細な説明】
【技術分野】
【０００１】
本発明は、コピー機能を有する画像読取記録装置に関するものである。
【背景技術】
【０００２】
周知のように、コピー機能を有する画像読取記録装置においては、コピーの部数、ソートのＯＮ／ＯＦＦ、拡大・縮小のＯＮ／ＯＦＦ等を操作部の操作により設定できるが、この設定はコピーの度に行う必要があった。
【０００３】
そこで、コピーの都度の煩雑な設定を省略すべく、記憶部により記憶されたユーザごとの個人設定によりコピーを実行できる情報処理装置が提案されている（例えば、特許文献１参照。）。
【特許文献１】特開２００４−３４３１６０号公報（図２等）
【発明の開示】
【発明が解決しようとする課題】
【０００４】
上記のような情報処理装置においては、コピーの設定をユーザごとに変更できるものの、ユーザ数が多い場合は個人設定の変更手順が分かりにくいと共に、コピーの設定を自己の個人設定以外に変更できないという問題点がある。
【０００５】
本発明は、以上のような問題点に鑑みてなされたものであり、コピーの都度の煩雑な設定を省略できると共に、コピーの設定を適宜変更できる画像読取記録装置を提供することを目的とする。
【課題を解決するための手段】
【０００６】
上記目的を達成するための請求項１の発明は、コピージョブ名とコピージョブパターンとを対応付けて記憶するコピージョブデータベースと、このコピージョブデータベースにより記憶されたコピージョブ名を一覧表示する表示手段と、この表示手段により一覧表示されたコピージョブ名の中からコピージョブ名を選択する選択手段と、前記コピージョブデータベースを検索し、前記選択手段により選択されたコピージョブ名に対応するコピージョブパターンを抽出する抽出手段と、この抽出手段により抽出されたコピージョブパターンでコピージョブを実行する実行手段と、を備えたものである。
【０００７】
請求項２の発明は、コピージョブパターンのテンプレート及びコピージョブ名のテンプレートを記憶する記憶手段と、コピージョブパターンのテンプレート又はコピージョブ名のテンプレートの呼出命令を外部装置から受信する呼出命令受信手段と、この呼出命令受信手段によりコピージョブパターンのテンプレートの呼出命令が受信された場合に、前記記憶手段により記憶されたコピージョブパターンのテンプレートを外部装置へ送信するパターンテンプレート送信手段と、このパターンテンプレート送信手段により送信されたテンプレートと同一の又はそれを修正した後のコピージョブパターンを外部装置から受信するパターン受信手段と、前記呼出命令受信手段によりコピージョブ名のテンプレートの呼出命令が受信された場合に、前記記憶手段により記憶されたコピージョブ名のテンプレートを外部装置へ送信する名称テンプレート送信手段と、この名称テンプレート送信手段により送信されたテンプレートと同一の又はそれを修正した後のコピージョブ名を外部装置から受信する名称受信手段と、この名称受信手段により受信されたコピージョブ名と前記パターン受信手段により受信されたコピージョブパターンとを対応付けて前記コピージョブデータベースに格納する格納手段と、を備えたものである。
【発明の効果】
【０００８】
請求項１の発明によれば、複数のコピージョブパターンが登録されているので、コピーの都度の煩雑な設定を省略することができると共に、コピーの設定を適宜変更することができる。
【０００９】
請求項２の発明によれば、コピージョブパターンやコピージョブ名を外部装置から簡単に登録することができる。
【発明を実施するための最良の形態】
【００１０】
以下、本発明の実施形態を図面に基づいて説明する。
本実施形態に係る画像読取記録装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、ＬＡＮ（local area network、構内ネットワーク）インターフェース（ＬＡＮ Ｉ／Ｆ）９、ＵＳＢ（universal serial bus）インターフェース（ＵＳＢ Ｉ／Ｆ）１０、記録部１１、読取部１２、操作部１３、及び表示部１４を備えたものであり、各構成要素はバス１５を介して互いに通信可能に接続されている。
【００１１】
フラッシュメモリ３は、各構成要素の動作を制御するための制御プログラムの他、図２のようなコピージョブデータベース、後述のコピージョブパターンのテンプレート及びコピージョブ名のテンプレート等を記憶している。このような制御プログラム、コピージョブデータベース、コピージョブパターンのテンプレート、及びコピージョブ名のテンプレート等は、フラッシュメモリ３の他、ＨＤＤ（ハードディスクドライブ）等の適宜の記憶手段に格納してもよい。
【００１２】
コピージョブデータベースは、図２に示すように、コピージョブ名とコピージョブパターンとを対応付けて記憶している。コピージョブパターンの設定項目としては、部数、ソートのＯＮ／ＯＦＦ、印刷原稿サイズ、出力用紙サイズ、拡大・縮小のＯＮ／ＯＦＦ、拡大・縮小率、印刷原稿の向き、集約のＯＮ／ＯＦＦ、集約時の詳細レイアウト、１８０°画像回転のＯＮ／ＯＦＦ、両面印刷のＯＮ／ＯＦＦ、両面印刷時の排出先、給紙先、メディアタイプ等が挙げられる。
【００１３】
制御部２は、ＣＰＵ（central processing unit、中央処理装置）等で構成されており、図１に示すフラッシュメモリ３上の制御プログラム等に従って各構成要素の動作を制御する。ＲＡＭ４は、画像読取記録装置１に関する各種の情報を一時的に記憶する。
【００１４】
ＬＡＮインターフェース９は、図１に示すように、ＬＡＮ２１及びインターネット２２に接続されている。ＬＡＮ２１はインターネット２２に接続されており、このＬＡＮ２１には外部装置３１が接続されている。
【００１５】
外部装置３１は、主な構成要素として、図示しない制御部、フラッシュメモリ、ＲＡＭ、ＨＤＤ、ＬＡＮインターフェース、ＵＳＢインターフェース、操作部、及び表示部を備えたものであり、各構成要素は図示しないバスを介して互いに通信可能に接続されている。この外部装置３１の制御部は、フラッシュメモリやＨＤＤ等の記憶手段に記憶された制御プログラム等に従って外部装置３１の各構成要素の動作を制御する。このように構成された外部装置３１は、ＬＡＮ２１を介して画像読取記録装置１にアクセスできるが、インターネット２２等の各種のネットワークや、ＵＳＢインターフェース１０等の各種のインターフェース等を介して画像読取記録装置１にアクセスできるように構成してもよい。外部装置３１としては、パーソナルコンピュータ、ＰＤＡ（personal digital assistant、携帯情報端末）等が挙げられる。
【００１６】
読取部１２は、原稿の画像を画像データとして読み取る。画像メモリ５は、読み取られた画像データを一時的に記憶する。記録部１１は、記憶された画像データ等を電子写真方式等により記録用紙に記録（印刷）する。このように、画像読取記録装置１は、原稿の画像を画像データとして読み取る読取手段、この読取手段により読み取られた画像データを記憶する画像データ記憶手段、及びこの画像データ記憶手段により記憶された画像データを記録用紙に記録する記録手段を備えており、ＲＡＭ４に読み出された適宜のコピージョブパターンでコピージョブを実行することができる。
【００１７】
表示部１４は、操作部１３等に併設されたＬＣＤ（liquid crystal display、液晶ディスプレイ）等で構成されており、各種の情報を表示する。操作部１３は、各種の操作をするための操作キー等を備えている。画像読取記録装置１に対するユーザによる各種の操作は、この操作部１３を通じて行われる。なお、表示部１４をタッチパネルとしておき、このタッチパネルとしての表示部１４が操作部１３としても機能するように構成してもよい。
【００１８】
コーデック６は、読み取られた画像データを送信等のためにＭＨ（modified huffman）方式、ＭＲ（modified read）方式、ＭＭＲ（modified modified read）方式等により符号化したり、受信した画像データを復号化したりする。
【００１９】
モデム７は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ８は、ＰＳＴＮ（public switched telephone network、公衆電話交換網）２３に接続されており、電話回線を制御して電話をかけたり切ったりする。
【００２０】
上記のように構成された画像読取記録装置１は、コピー機の他、ファクス通信機、インターネットファクス通信機、ネットワークプリンタ、ネットワークスキャナ等として機能する複合機である。なお、画像読取記録装置１は、複合機でなくてもよく、少なくともコピー機として機能するものであればよい。
【００２１】
次に、コピージョブの実行処理の一例を図３に示すフローチャートに基づいて説明する。なお、この実行処理は、フラッシュメモリ３上の制御プログラム等に基づいて制御部２が発行する命令に従って行われる。
【００２２】
この実行処理において、操作部１３の操作によりコピージョブパターンが呼び出されれば（ステップＳ１）、図４に示すように、コピージョブデータベースにより記憶されたコピージョブ名４１（「Ａ４−１００％」、「Ａ３−１４１％」、「Ｂ５−１００％」等）が表示部１４に一覧表示される（ステップＳ２）。この場合、コピージョブ名４１と共に、フラッシュメモリ３等の記憶手段に記憶されたコピージョブ番号４２（「01」、「02」、「03」等）、コピージョブ名の選択を求めるメッセージ４３（「コピージョブ名を選択して下さい」等）等を表示してもよい。
【００２３】
そして、一覧表示されたコピージョブ名４１の中から、操作部１３の操作によりコピージョブ名４１が選択されれば（ステップＳ３）、コピージョブデータベースが検索され、選択されたコピージョブ名４１に対応するコピージョブパターンが抽出される（ステップＳ４）。次いで、抽出されたコピージョブパターンでコピージョブが実行されれば（ステップＳ５）、処理が終了する。
【００２４】
上記のように構成された画像読取記録装置１によれば、複数のコピージョブパターンが登録されているので、コピーの都度の煩雑な設定を省略できると共に、コピーの設定を適宜変更できるという利点がある。
【００２５】
次に、コピージョブパターンの登録処理の一例を図５に示すフローチャートに基づいて説明する。なお、この登録処理のうち、画像読取記録装置１における処理は、フラッシュメモリ３上の制御プログラム等に基づいて制御部２が発行する命令に従って行われる。外部装置３１における処理は、外部装置３１の記憶手段上の制御プログラム等に基づいて外部装置３１の制御部が発行する命令に従って行われる。
【００２６】
この登録処理において、コピージョブパターンのテンプレートの呼出命令を外部装置３１から受信すれば（ステップＳ１１）、フラッシュメモリ３に記憶されたコピージョブパターンのテンプレートが外部装置３１へ送信される（ステップＳ１２）。
【００２７】
コピージョブパターンのテンプレートの呼出命令は、外部装置３１の操作部の操作により外部装置３１から画像読取記録装置１へ送信される。一方、画像読取記録装置１から外部装置３１へ送信されたコピージョブパターンのテンプレートは、図６に示すように、外部装置３１の表示部に表示され、必要に応じて外部装置３１の操作部の操作により修正される。
【００２８】
そして、送信されたテンプレートと同一の又はそれを修正した後のコピージョブパターンを外部装置３１から受信し（ステップＳ１３）、コピージョブ名のテンプレートの呼出命令を外部装置３１から受信すれば（ステップＳ１４）、フラッシュメモリ３に記憶されたコピージョブ名のテンプレートが外部装置３１へ送信される（ステップＳ１５）。
【００２９】
コピージョブパターン、並びに、コピージョブ名のテンプレートの呼出命令は、外部装置３１の操作部の操作（図６のようなテンプレート上の登録ボタン５１のクリック等）により外部装置３１から画像読取記録装置１へ送信される。なお、ステップＳ１３とステップＳ１４とは、順序が逆になってもよい。一方、画像読取記録装置１から外部装置３１へ送信されたコピージョブ名のテンプレートは、図７に示すように、外部装置３１の表示部に表示され、必要に応じて外部装置３１の操作部の操作により修正される。コピージョブ名のテンプレートにおいては、コピージョブ名６１の他にコピージョブパターンについてのコメント６２等を修正できるようにしてもよいし、図７の例のようにコピージョブ名６１やコメント６２等を空白にしておいて新たな情報を外部装置３１の操作部で入力することにより修正してもよい。
【００３０】
次いで、送信されたテンプレートと同一の又はそれを修正した後のコピージョブ名６１を外部装置３１から受信すれば（ステップＳ１６）、受信したコピージョブ名６１と受信したコピージョブパターンとが対応付けてコピージョブデータベースに格納され（ステップＳ１７）、処理が終了する。
【００３１】
コピージョブ名６１は、外部装置３１の操作部の操作（図７のようなテンプレート上の登録ボタン６３のクリック等）により外部装置３１から画像読取記録装置１へ送信される。
【００３２】
このように、画像読取記録装置１によれば、コピージョブパターンやコピージョブ名６１を外部装置３１から簡単に登録できるという利点がある。
【産業上の利用可能性】
【００３３】
以上のように、本発明に係る画像読取記録装置は、コピーの都度の煩雑な設定を省略すると共に、コピーの設定を適宜変更するのに適している。
【図面の簡単な説明】
【００３４】
【図１】実施形態に係る画像読取記録装置の構成例を示すブロック図。
【図２】コピージョブデータベースの構成例を示すデータテーブル。
【図３】コピージョブの実行処理の一例を示すフローチャート。
【図４】コピージョブ名を表示部に一覧表示した画面例を示す説明図。
【図５】コピージョブパターンの登録処理の一例を示すフローチャート。
【図６】コピージョブパターンのテンプレートを外部装置の表示部に表示した画面例を示す説明図。
【図７】コピージョブ名のテンプレートを外部装置の表示部に表示した画面例を示す説明図。
【符号の説明】
【００３５】
１  画像読取記録装置
２  制御部
３  フラッシュメモリ
４  ＲＡＭ
５  画像メモリ
９  ＬＡＮインターフェース
１０  ＵＳＢインターフェース
１１  記録部
１２  読取部
１３  操作部
１４  表示部
２１  ＬＡＮ
３１  外部装置
４１、６１  コピージョブ名
【図１】
2007049453.tif 000003
【図２】
2007049453.tif 000004
【図３】
2007049453.tif 000005
【図４】
2007049453.tif 000006
【図５】
2007049453.tif 000007
【図６】
2007049453.tif 000008
【図７】
2007049453.tif 000009